(57)【要約】      （修正有）【課題】リモート・トレーダが、買い注文、売り注文、及び銘柄に対する取引並びに随意でコンテキスト・データの１つ以上のソースを、リアルタイムでビューする電子取引交換用のユーザ・インターフェースを提供する。【解決手段】個々のトレーダは、リモート・クライアント端末上で注文を出し、トランザクション・マネージャ１００は、銘柄に対する売り注文に銘柄に対する買い注文をマッチさせて、未処理の買い注文及び売り注文情報及び追加情報（取引及びコンテキスト・データのような）をクライアント端末に伝達する。各クライアント端末は、銘柄に対する未処理の買い注文及び売り注文のすべてを表示し、トレーダの銘柄に対する注文における傾向、注文の価格に対応する位置を表示する。注文の価格及び数量を反映する位置に注文アイコンを配置する。立合所に接続されているトレーダがアイコンによって表し、かつトレーダの活動レベルに応じて表示する。【選択図】図１
2018026146.tif 000002
【特許請求の範囲】
【請求項１】
注文が買い注文タイプ又は売り注文タイプからなり、および注文が、ある数量の銘柄に対して指定の価格で生成されるシステムにおいて、買い及び売りに関する取引情報を表示するための方法であって、  ある数量の銘柄に対する買い注文に応じて、買い注文の価格に対応する第１の価格軸に沿った位置に、少なくとも１つの買い注文アイコンを表示するステップと、  ある数量の銘柄に対する売りタイプの注文に応じて、売り注文の価格に対応する第１の価格軸に沿った位置に、少なくとも１つの売り注文アイコンを表示するステップと、を含む方法。
【請求項２】
そのサイズが前記注文の数量を反映するようにユーザによって調整可能である注文トークンを提供するステップと、をさらに含む、請求項１記載の方法。
【請求項３】
注文アイコンを提供するステップが、  前記注文の価格に対応する位置に移動され得る注文アイコンを提供するステップと、をさらに含むことを特徴とする、請求項２記載の方法。
【請求項４】
銘柄の数量及び注文に対する価格を指定するユーザ行為に応じて、注文に対する要求を受け取るステップと、をさらに含み、  表示するステップは、  指定された数量及び価格情報に相当する、要求された注文アイコンを表示するステップをさらに含む、請求項１に記載の方法。
【請求項５】
アイコンがその中に表示されるスロットが作成され、注文に対して受信された要求が買い注文のタイプであり、そして表示するステップがさらに、指定された数量及び価格情報に相当する、買い注文アイコンを表示するステップを含み、  要求された買い注文アイコンを、前記買い注文の価格より大きくかつ最も近い価格を持つ買い注文アイコンを保持しているスロットに隣接するスロットに、配置するステップと、をさらに含むことを特徴とする、請求項４に記載の方法。
【請求項６】
前記スロットが現時点で買い注文アイコンを保持しているかどうかを判定するステップと、  前記スロットが買い注文アイコンを保持しているかを判定することに応じて、現時点で前記スロット内にある買い注文アイコンを置き換えるステップと、をさらに含む、請求項５記載の方法。
【請求項７】
現時点で存在する買い注文アイコンを前記スロットが保持しているかどうかを判定するステップと、  現時点で存在する買い注文アイコンを前記スロットが保持しているかを判定することに応じて、現時点で存在する買い注文アイコンの価格を判定するステップと、  前記現時点で存在する買い注文アイコンが、前記要求された買い注文アイコン未満の価格を持つと判定することに応じて、前記スロットから、前記現時点で存在する買い注文アイコンを置き換えるステップと、  前記現時点で存在する買い注文アイコンが、前記要求された買い注文アイコンの価格に等しい価格を持つと判定することに応じて、前記スロット内の前記現時点で存在する買い注文アイコンに隣接するスロットに、前記要求された買い注文アイコンを配置するステップであって、前記スロット内の買い注文アイコンの注文が、買い注文が売り注文にマッチするであろう注文であることを特徴とする、ステップとをさらに含む、請求項５記載の方法。
【請求項８】
第１の軸が垂直方向に表示され、かつスロットが垂直に配置されるシステム内にあって、前記要求された買い注文アイコンを配置するステップがさらに、前記現時点で存在する買い注文アイコンに垂直方向に隣接して前記要求された買い注文アイコンを配置するステップを含む、請求項７記載の方法。
【請求項９】
請求項４記載の方法であって、アイコンがその中に表示されるスロットが作成され、かつ注文に対して受け取られた要求が売り注文のタイプであり、そして表示するステップがさらに、指定された数量及び価格情報に相当する、売り注文アイコンを表示するステップを含み、前記方法はさらに、  要求された売り注文アイコンを、前記売り注文の価格より小さくかつ最も近い価格を持つ売り注文アイコンを保持しているスロットに隣接するスロットに、配置するステップと、を含むことを特徴とする方法。
【請求項１０】
ユーザによって出された注文アイコンが第１の視覚的な特徴でもって前記ユーザに表示され、他のユーザによって出された注文アイコンが第２の視覚的な特徴でもって前記ユーザに表示されるシステム内にあって、注文アイコンを表示するステップがさらに、  前記第１の視覚的な特徴でもって、前記要求された注文アイコンを、注文を要求したユーザに表示するステップと、  前記第２の視覚的な特徴でもって、前記要求された注文アイコンを、他のユーザに表示するステップと、を含む、請求項４記載の方法。
【請求項１１】
価格軸に向けて角度を付けられた辺を持つ注文アイコンを表示するステップと、をさらに含む、請求項１記載の方法。
【請求項１２】
指定された価格に対する、ある数量の銘柄に対する新しい注文を受け取るステップと、  買い注文される銘柄の数量にそのサイズが対応する注文アイコンを生成するステップと、  指定された注文の価格に相当する、価格軸に沿った位置に注文アイコンを配置するステップと、をさらに含む、請求項１記載の方法。
【請求項１３】
注文が買い注文タイプであり、  現時点で表示されている売り注文アイコンが、前記指定された価格以下に位置しているかどうかを判定するステップと、  現時点で表示されている売り注文アイコンが、前記指定された価格に位置していると判定することに応じて、前記現時点で表示されている売り注文アイコンによって指定される数量を判定するステップと、  現時点で表示されている売り注文アイコンの数量が、前記買い注文の数量に等しいということに応じて、現時点で表示されている売り注文アイコンを削除するステップとをさらに含むことを特徴とする、請求項１２記載の方法。
【請求項１４】
現時点で表示されている売り注文アイコンの数量が前記買い注文の数量未満であるということに応じて、そのサイズが、前記買い注文の数量と前記売り注文の数量との差に相当する、買い注文アイコンを表示するステップと、をさらに含む、請求項１３記載の方法。
【請求項１５】
前記売り注文の数量が、前記買い注文の数量より多いということに応じて、前記買い注文の数量と前記売り注文の数量との差に相当するサイズに、前記売り注文アイコンの表示を変更するステップと、をさらに含むことを特徴とする、請求項１３記載の方法。
【請求項１６】
指定された価格に対する、ある数量の銘柄に対する新しい注文を受け取るステップと、  売り注文がなされる銘柄の数量にそのサイズが対応する注文アイコンを生成するステップと、  指定された売り注文の価格に相当する、価格軸に関する位置に注文アイコンを配置するステップとを含むことを特徴とする、請求項１記載の方法。
【請求項１７】
前記新しい注文と同じタイプの、現時点で表示されている注文アイコンが、前記指定された価格に位置しているかどうかを判定するステップと、  前記新しい注文と同じタイプの現時点で表示されている注文アイコンが、前記指定された価格に位置していると判定することに応じて、同じ価格を持つ売り注文アイコンである表示されている注文が、売り注文が買い注文にマッチするであろう注文であることを指示する、現時点で表示されている注文アイコンに隣接して、前記生成された注文アイコンを配置するステップと、をさらに含む、請求項１６記載の方法。
【請求項１８】
第１の軸に直交する、時間を表わす第２の軸を生成するステップと、  第２の軸に直交する、価格を表わす第３の軸を生成するステップと、  第２及び第３軸に関して、時間及び価格に応じて、銘柄の価格を表わす履歴チャートを表示するステップと、をさらに含む、請求項１記載の方法。
【請求項１９】
時間の経過に応じて、履歴チャートを更新するステップとをさらに含む、請求項１８記載の方法。
【請求項２０】
第１の軸に直交する、時間を表わす第２の軸を生成するステップと、  第２の軸に直交する、価格を表わす第３の軸を生成するステップと、  第２及び第３軸に関して、時間及び価格に応じて、一式の銘柄の平均価格を表わす履歴チャートを表示するステップとをさらに含む、請求項１記載の方法。
【請求項２１】
第１の銘柄に対する買い注文及び売り注文を表わす買い注文及び売り注文アイコンが表示され、さらに  第１の軸に直交する、時間を表わす第２の軸を生成するステップと、  第２の軸に直交する、価格を表わす第３の軸を生成するステップと、  第２及び第３軸に関して、時間及び価格に応じて、第２の銘柄の価格を表わす履歴チャートを表示するステップとを含むことを特徴とする請求項１記載の方法。
【請求項２２】
価格を計る計測基準に応じて、銘柄に対する価格を計算するステップと、  前記銘柄に対して計算された価格に相当する、第１の軸に関する位置にマーカを表示するステップとをさらに含む、請求項１記載の方法。
【請求項２３】
価格を計る前記計測基準が経済的要因の組合せを含み、さらに、  経済的要因の少なくとも１つの変化に応じて、前記計算される価格を更新するステップと、  前記更新される価格に相当する、第１の軸に関する位置にマーカを表示するステップとを含むことを特徴とする、請求項２２記載の方法。
【請求項２４】
少なくとも１つの買い注文アイコンを表示するステップがさらに、  第２の数量軸に関して前記買い注文の数量に対応する位置に、少なくとも１つの買い注文アイコンを表示するステップと、  第２の数量軸に関して前記売り注文の数量に対応する位置に、少なくとも１つの売り注文アイコンを表示するステップとを含むことを特徴とする、請求項１記載の方法。
【請求項２５】
新しい買い注文を生成するためのユーザ行為を受け取るステップであって、前記ユーザ行為が数量及び価格情報を指定することを特徴とする、ステップと、  前記指定された数量及び価格情報に相当する、第１及び第２の軸に関する位置に、買い注文を表示するステップと、をさらに含む、請求項２４記載の方法。
【請求項２６】
売り注文が、前記新しい買い注文の価格未満の価格において未処理であるかどうかを判定するステップと、  前記新しい買い注文の価格未満の価格において未処理である売り注文に応じて、前記新しい買い注文と前記未処理の売り注文との間の数量の差を判定するステップと、  前記未処理の売り注文より大きな数量を持つ前記新しい買い注文に応じて、第１及び第２の軸に関して、数量の差に相当する位置に、買い注文アイコンを表示するステップとをさらに含む、請求項２５記載の方法。
【請求項２７】
新しい売り注文を生成するためのコマンドを受け取るステップであって、前記コマンドが数量及び価格情報を指定することを特徴とする、ステップと、  前記指定された数量及び価格情報に相当する位置に、売り注文アイコンを表示するステップと、をさらに含む、請求項２４記載の方法。
【請求項２８】
リモート端末が銘柄に対する未処理注文をすべて表示するシステム内で、所望する数量に対して所望する価格で銘柄に対する注文を出すための方法であって、注文が買い注文及び売り注文からなり、そしてトランザクション・サーバが、各リモート端末によって伝送された注文を受け取って、前記受け取った注文をすべてのリモート端末へ伝達する、方法において、  少なくとも１つの注文トークンを表示するステップと、  注文トークンに対する選択を受け取るステップと、  前記注文に対する所望の価格及び数量に相当する、価格軸及び数量軸に関してユーザが指定する位置に、前記注文トークンを移動させるステップとを含むことを特徴とする方法。
【請求項２９】
所望の数量に対して所望の価格で銘柄を購入するための方法をさらに含み、銘柄を購入するための前記方法が、  表示されている売り注文アイコンが、所望の数量及び価格に相当する位置に存在しているかどうかを判定するステップと、  所望の数量及び価格に相当する位置に存在する表示されている売り注文アイコンに応じて、買い注文アイコンを選択し、前記表示されている売り注文アイコンによって占められている位置まで前記買い注文アイコンを移動させるステップと、をさらに含む、請求項２８記載の方法。
【請求項３０】
所望の数量に対して所望の価格で銘柄を売るための方法をさらに含み、銘柄を売るための前記方法が、  表示されている買い注文アイコンが、所望の数量及び価格に相当する位置に存在しているかどうかを判定するステップと、  所望の数量及び価格に相当する位置に存在する表示されている買い注文アイコンに応じて、売り注文アイコンを選択し、前記表示されている買い注文アイコンによって占められている位置まで前記売り注文アイコンを移動させるステップとをさらに含む、請求項２８記載の方法。
【請求項３１】
前記売り注文アイコンのサイズが前記注文の所望の数量を表わすまで、前記注文トークンのサイズを調整するステップと、  前記注文に対する所望の価格に相当する、価格軸に沿った位置へ、前記注文トークンを移動させるステップと、をさらに含む、請求項２８記載の方法。
【請求項３２】
複数のトレーダの取引活動を表示するための方法であって、  取引立合所を表示するステップと、  各トレーダに対して、活動レベルを決定するステップと、  各トレーダに対して、トレーダを表わすトークンを、前記トレーダの活動レベルに相当する取引立合所内での位置に、表示するステップと、を含む、方法。
【請求項３３】
活動レベルを決定するステップが、  トレーダのオープン注文のボリュームを判定するステップと、  前記トレーダに対して、オープン注文のボリュームに応じて、活動レベルを計算するステップと、を、さらに含むことを特徴とする請求項３２記載の方法。
【請求項３４】
最高の活動レベルを持つトレーダが、前記取引立合所の中央近くに表示されるトークンを持つことを特徴とする、請求項３２記載の方法。
【請求項３５】
各注文が注文に対する価格及び数量を指定する、トレーダによって提出される注文に応じて銘柄が売買される電子取引システムのためのコンピュータ読取り可能媒体であって、コンピュータ読取り可能媒体であって、プロセッサに、  銘柄の価格を表わす第１の軸を表示させ、  第１の軸に関する位置に、前記銘柄に対する買い注文内の銘柄の数量、及び前記買い注文の価格、に相当する少なくとも１つの買い注文アイコンを表示させ、  第１の軸に関する位置に、前記銘柄に対する売り注文内の銘柄の数量、及び前記売り注文の価格、に相当する少なくとも１つの売り注文アイコンを表示させる、指示を含むプログラムを含む、コンピュータ読取り可能媒体。
【請求項３６】
さらに前記プロセッサに  一式の銘柄に対する価格の過去の経済データを表わす履歴チャートを表示させる、請求項３５記載のコンピュータ読取り可能媒体。
【請求項３７】
前記買い注文によって指定された銘柄の数量に相当するサイズを持つ前記少なくとも１つの買い注文アイコンが表示され、前記売り注文によって指定された銘柄の数量に相当するサイズを持つ前記少なくとも１つの売り注文アイコンが表示されることを特徴とする、請求項３５記載のコンピュータ読取り可能媒体。
【請求項３８】
さらに前記プロセッサに  銘柄の数量を表わす第２の軸を表示させ、  前記少なくとも１つの買い注文アイコンが、前記買い注文の数量及び前記買い注文の価格に相当する位置に表示され、前記少なくとも１つの売り注文アイコンが、前記売り注文の数量及び前記売り注文の価格に相当する位置に表示されることを特徴とする、請求項３５記載のコンピュータ読取り可能媒体。
【請求項３９】
さらに前記プロセッサに、  同心性の輪及び／又は形を持つ、立合所パネル・アイコンを表示させ、  現時点で銘柄を取引しているトレーダを表わす、トレーダ・アイコンを表示させることを特徴とする、請求項３５に記載のコンピュータ読取り可能媒体。
【請求項４０】
さらに前記プロセッサに、前記アイコンによって表されるトレーダの活動レベルに応じた、立合所パネル・アイコン上での位置に、トレーダ・アイコンを表示させる、請求項３９記載のコンピュータ読取り可能媒体。
【請求項４１】
銘柄の売買を行うための方法において、  第１のリモート端末から少なくとも１つの買い注文を、そして第２のリモート端末から少なくとも１つの銘柄に対する少なくとも１つの売り注文を受け取るステップと、  売り注文に対応する買い注文に応じて、銘柄に対する売り注文と銘柄に対する買い注文をマッチさせるステップと、  第１のリモート端末から受け取られた買い注文及び第２のリモート端末から受け取られた売り注文を含めて、リモート端末上に表示するために、複数のリモート端末へ未処理の買い注文及び未処理の売り注文を伝達するステップと、を含むことを特徴とする方法。
【請求項４２】
前記伝達された未処理の買い注文及び未処理の売り注文を表示するステップと、をさらに含む、請求項４１記載の方法。
【請求項４３】
銘柄について買い注文及び売り注文を生成するための複数のクライアント端末を持ち、かつ未処理の買い注文、未処理の売り注文、及び買い注文と売り注文が作られる銘柄、について受け取られた情報を表示するためのシステムであって、前記システムが銘柄の売買を行うためのものであり、前記システムは、  クライアント端末から前記銘柄に対する買い注文及び売り注文を受け取り、売り注文を対応する買い注文にマッチさせ、銘柄、受け取られた未処理の買い注文、及び受け取られた未処理の売り注文、についての情報を複数のクライアント端末に伝送するために、複数のクライアント端末につながれるトランザクション・サーバと、を含むことを特徴とするシステム。
【請求項４４】
銘柄、受け取られた買い注文、及び受け取られた売り注文、についての情報を格納するために、トランザクション・サーバにつながれるデータベースとをさらに含むことを特徴とする請求項４３記載のシステム。
【請求項４５】
電子取引システムのユーザによって出された注文に応じて、銘柄が売買される電子取引システムにインターフェースを提供するための方法であって、各注文が前記注文に対する価格及び数量を指定する、方法において  ユーザに対してビューの選択を表示するステップと、  表示用に第１又は第２のビューを選択する入力を受け取るステップと、  第１のビューを選択する入力を受け取ることに応じて、価格軸を持つ第１のビューを表示するステップであって、第１のビューが銘柄に対する各々の未処理注文の注文アイコンを表示し、前記注文アイコンが、前記注文の価格に相当する価格軸に関する位置に表示されることを特徴とする、ステップと、  第２のビューを選択する入力を受け取ることに応じて、価格軸及び数量軸を持つ第２のビューを表示するステップであって、第２のビューが銘柄に対する各々の未処理注文の注文アイコンを表示し、前記注文アイコンが、前記注文の価格及び数量に相当する価格軸及び数量軸に関する位置に表示されることを特徴とする、ステップと、を含むことを特徴とする方法。
【請求項４６】
少なくとも３つのビューを持つシステム内における請求項４５記載の方法において、受け取るステップがさらに、表示用の第１、第２、又は第３のビューを選択する入力を受け取るステップを含み、  第３のビューを選択する入力を受け取ることに応じて、立合所パネルと、トレーダを表わすトレーダ・アイコンとを表示する第３のビューを表示するステップであって、前記トレーダ・アイコンが、前記トレーダ・アイコンによって表されるトレーダの活動レベルに応じて、立合所パネルに配置されることを特徴とする、ステップと、をさらに含む請求項４５記載の方法。
【請求項４７】
売り注文及び買い注文が生成される電子取引システム用のユーザ・インターフェースであって、各売り注文及び買い注文が価格及び数量を持ち、  価格軸と、  数量軸と、  前記売り注文の価格及び数量に相当する位置に、未処理の売り注文を表わす少なくとも１つの売り注文アイコンと、  前記買い注文の価格及び数量に相当する位置に、未処理の買い注文を表わす少なくとも１つの買い注文アイコンと、を含む、ユーザ・インターフェース。
【請求項４８】
請求項４７記載のユーザ・インターフェースであって、前記価格軸が垂直軸であり、  コンテキスト・データの履歴チャートであって、時間の水平軸及び価格の垂直軸に応じて生成される、前記履歴チャートと、をさらに含むことを特徴とするユーザ・インターフェース。
【請求項４９】
売り注文及び買い注文が生成される電子取引システム用のユーザ・インターフェースであって、各売り注文及び買い注文が価格及び数量を持ち、  価格軸と、  前記売り注文の価格及び数量に相当する位置に未処理の売り注文を表わし、かつ前記売り注文の数量に相当するサイズを持つ、少なくとも１つの売り注文アイコンと、  前記買い注文の価格及び数量に相当する位置に未処理の買い注文を表わし、かつ前記買い注文の数量に相当するサイズを持つ、少なくとも１つの買い注文アイコンと、を含む、ユーザ・インターフェース。
【請求項５０】
請求項４９記載のユーザ・インターフェースにおいて、前記価格軸が垂直軸であり、  前記傾向ラインが時間の水平軸及び価格の垂直軸に応じて生成される、コンテキスト・データの履歴チャートと、をさらに含むことを特徴とするユーザ・インターフェース。
【請求項５１】
請求項４９記載のユーザ・インターフェースにおいて、ユーザによって出された注文アイコンが第１の視覚的な特徴でもって前記ユーザに表示され、他のユーザによって出された注文アイコンが第２の視覚的な特徴でもって前記ユーザに表示されることを特徴とするユーザ・インターフェース。
【請求項５２】
請求項４９記載のユーザ・インターフェースにおいて、価格軸に向けて角度を付けられた上辺を持つ買い注文アイコンが表示され、価格軸に向けて角度を付けられた底辺を持つ売り注文アイコンが表示されることを特徴とするユーザ・インターフェース。
【請求項５３】
トレーダが銘柄に対して売り注文及び買い注文を生成する電子取引システム用のユーザ・インターフェースであって、  複数の同心性領域を含む、前記銘柄を取引するための取引立合所を表わす立合所パネル・アイコンと、  各トレーダ・アイコンが前記取引立合所内で現時点で銘柄を取引しているトレーダを表わす、複数のトレーダ・アイコンと、を含む、ユーザ・インターフェース。
【請求項５４】
前記トレーダによって生成された売り注文及び買い注文に応じて、立合所パネル・アイコン内に前記トレーダ・アイコンが置かれることを特徴とする、請求項５３記載のユーザ・インターフェース。
【請求項５５】
売り注文及び買い注文が生成される電子取引システム内に取引情を表示するための方法であって、各売り注文及び買い注文が価格及び数量を持ち、  価格軸を表示するステップと、  数量軸を表示するステップと、  前記売り注文の価格及び数量に相当する位置に、未処理の売り注文を表わす少なくとも１つの売り注文アイコンを表示するステップと、  前記買い注文の価格及び数量に相当する位置に、未処理の買い注文を表わす少なくとも１つの買い注文アイコンを表示するステップとを含む方法。
【請求項５６】
請求項５５記載の方法において、前記価格軸が垂直軸であり、前記方法が、さらに、  コンテキスト・データの履歴チャートを表示するステップであって、前記傾向ラインが時間の水平軸及び価格の垂直軸に応じて生成されることを特徴とする、ステップとを含むことを特徴とする方法。
【請求項５７】
売り注文及び買い注文が生成される電子取引システム用の取引情報を表示するための方法であって、各売り注文及び買い注文が価格及び数量を持ち、  価格軸を表示するステップと、  前記売り注文の価格及び数量に相当する位置に未処理の売り注文を表わし、かつ前記売り注文の数量に相当するサイズを持つ、少なくとも１つの売り注文アイコンを表示するステップと、  前記買い注文の価格及び数量に相当する位置に未処理の買い注文を表わし、かつ前記買い注文の数量に相当するサイズを持つ、少なくとも１つの買い注文アイコンを表示するステップとを含む方法。
【請求項５８】
請求項５７記載の方法において、前記価格軸が垂直軸であり、  コンテキスト・データの履歴チャートを表示するステップであって、前記傾向ラインが時間の水平軸及び価格の垂直軸に応じて生成されることを特徴とする、ステップと、をさらに含むことを特徴とする方法。
【発明の詳細な説明】
【技術分野】
【０００１】
発明の技術分野
本発明は一般に、グラフィカル・ユーザ・インターフェースの分野に関係し、特に、電子取引システム用のグラフィカル・ユーザ・インターフェースの分野に関係する。
【背景技術】
【０００２】
従来の技術
取引の立合所は、市場経済の活力の源泉である。多量の品物及び会社の株式が、日々、取引所での取引の立合所を通して何百万という投資家によって売買される。特定の取引生産物あるいは銘柄が、より評価される場合、買い手によるより積極的な買い注文の結果、銘柄の価格が引き上げられる。銘柄がよく評価されない場合、より積極的に銘柄を売る売り注文の結果、銘柄の価格が引き下げられる。成功するトレーダは、銘柄の価格の上昇又は下落を予測し、市場のその他の人々が銘柄の価格の潜在的な上昇又は下落に気づく前に、自分の取引を実行する。したがって、興味のある銘柄に対する、市場予測及び将来需要の明確化が、トレーダの成功にとって重要である。
【０００３】
各銘柄の取引は、その銘柄用の取引立合所において生じる。取引立合所は、顧客が立合所内のブローカにその銘柄に対する彼らの注文、つまり買い注文（ｂｉｄ）又は売り注文（ｏｆｆｅｒ）のどちらかを提出する、取引所内の指定されたエリアである。取引所はすべての取引を記録し、その銘柄に対する最高値を持つ未処理の買い注文及び最低値を持つ未処理の売り注文を、注文で指定された数量と共に、個々のトレーダに伝えるか又は掲示する。取引所は、すべての未処理の売り注文及び買い注文についての情報を公表するわけではない、なぜなら、ある程度この情報はトレーダ以上にマーケット・メーカーに利益を与えるものであるからであり、そしてマーケット・メーカが彼等自身の取引の方向をすばやく変化させ、顧客の注文の前を行き、マーケット・メーカの損失を防ぐために顧客の指し値注文を用いることができるようになるからである。しかしながら、個々のトレーダにとって、銘柄に対する最新の注文情報だけを持っていることは、その銘柄に対する注文の傾向を見定めるトレーダの仕事を困難にする、なぜなら、トレーダは売り注文及び買い注文のボリューム、あるいはこれらのボリュームが変化している速さについての情報をほとんど持っていなからである。
【０００４】
また現時点での取引所の投資収益、その銘柄に対する過去の取引データ、立合所にいるトレーダの数、及び立合所の活発さについてのトレーダのセンスを含めて、他の情報が、トレーダによって市場を予測するために用いられる。しかしながら、トレーダが、多種多様であるが多くは無関係なソースから、この情報をすばやく組み立てること、また情報に基づく取引決定を下すためにこの情報の全部を有効に処理することは、多くの場合、困難である。市場及び特定銘柄の需要を予測するために、トレーダは、この情報及び他の外部情報から、その銘柄に対する買い注文又は売り注文の傾向を判断しようと試みなければならない。
【０００５】
このように、銘柄に対して市場需要がどう変化しているかをトレーダがすばやく解釈できるような直覚的なフォーマットで、トレーダに個々の銘柄に対する市場需要の傾向についての情報が提供されるようなシステムが、必要とされている。また、トレーダがその情報をすばやく解釈して、それに従って行動できるようにするやり方で、トレーダが特定銘柄の取引をしている間に、トレーダに銘柄又は市場に関するコンテキスト情報を提供するシステムが必要とされている。
【発明の概要】
【発明が解決しようとする課題】
【０００６】
発明の要旨
本発明は、リモート・トレーダが銘柄に対する注文の傾向を見ることができ、容易にグラフィカル・フォーマットを見て判断できるような取引情報を提供することが出来る電子取引システム用のユーザ・インターフェースである。本発明のユーザ・インターフェースは、個々のトレーダがリモート・クライアント端末上で買い注文及び売り注文を含む注文を出し、この情報がトランザクション・サーバに渡される、システム内で作動する。トランザクション・サーバは、リモート端末から注文情報を受け取り、売り注文に対応する買い注文に応じて、銘柄に対する売り注文に銘柄に対する買い注文をマッチさせて、未処理の買い注文及び売り注文情報をクライアント端末に伝達して戻す。最高値の買い注文及び最低値の売り注文だけが、個々のトレーダに知られていた従来のシステム及び方法とは対照的に、このように本発明に従って、各クライアント端末は、銘柄に対する未処理の買い注文及び売り注文のすべてを表示する。このことによって、トレーダが銘柄に対する注文の傾向を見ることができ、さらに良いことに、トレーダが銘柄に対する需要を予測することができる。
【課題を解決するための手段】
【０００７】
例えば、１つの実施形態では、グラフが価格軸で構成される。すべての未処理の買い注文及び売り注文に対する買い注文アイコン及び売り注文アイコンが、グラフ上の買い注文及び売り注文の価格に相当する位置に表示される。銘柄が「競り上げ」られている時、つまり銘柄の需要が成長している時、新しい買い注文のすべてが、リモート・トレーダに表示される。それが起こると、トレーダは、直ちに銘柄に対する需要の増大を見て取り、そうして、銘柄の価格が上昇すると推測し、銘柄の価格がまだ低い状態である間に、その銘柄を買う注文を直ちに入力することができる。対照的に、従来のシステムでは、トレーダは、最高値の買い注文の存在を単に知っているだけで、銘柄の需要が増大していることを知らないだろう。しかしながら、「ブックを開くこと」により、未処理注文のすべてが、すべてのリモート・トレーダに表示され、各トレーダは、成長しつつある需要を直ちに見て取り、それによって市場での彼又は彼女の立場を最大限にすることができる。
【０００８】
本発明のユーザ・インターフェースは、この情報を直覚的なフォーマットで示し、トレーダが情報に基づく決断をすばやく行うことができるようにする。プライオリティ（ｐｒｉｏｒｉｔｙ）・ビューの実施形態では、買い注文及び売り注文アイコンが価格軸に対応して表示される。このため、スクリーンの下部に買い注文アイコンが表示され、スクリーンの上部に売り注文アイコンが表示される結果になる。トレーダは、その銘柄に対する未処理の買い注文及び売り注文の数及びボリューム、並びにそれらの価格の差を直ちに識別することができる。買い注文及び売り注文は、さらに市場の現在の情勢をすばやく確認できるようにトレーダの能力を向上させる、異なる色、形、あるいはその他の視覚的な特徴でもって表示されることが望ましい。スクリーンは、最新の買い注文及び売り注文を表示するために頻繁に更新される。１つの実施形態では、価格軸に向けて角度を付けられた辺を持つアイコンが形成される。未処理の売り注文及び買い注文がすべて表示されると、アイコンの配列がひとりでに三角形の辺を形成し、価格軸に価格の差異を指し示す。また別の実施形態では、トレーダ自身の買い注文及び売り注文が、第１の色又は他の視覚的な特徴で表示され、他のトレーダの買い注文及び売り注文が、第２の色又は視覚的な特徴で表示される。このことによって、トレーダは市場の中での彼又は彼女の相対的な位置をすばやく判断することができる。最終的に、好適な実施形態では、アイコンのサイズが買い注文又は売り注文の数量を表わし、各買い注文及び売り注文が表わす相対的な数量を判断するための容易で視覚的な手段が可能になる。
【０００９】
価格／数量のビューの実施形態では、価格軸及び数量軸が買い注文及び売り注文アイコンの位置を決定するために用いられる。この実施形態内のアイコンは、マーカ又はトークンであり、トレーダに異なる外観及び感じを与える。代替的なビューを提供することによって、トレーダは、トレーダが最も快適な取引を行えるビューを選択することができる。
【００１０】
さらなる実施形態において、分析が表わす現在値に相当する位置に、価格を計る分析が、価格軸に関して表示される。その分析は、表示されている他のオブジェクトを表わすために用いられる他の特徴とは異なる色又は他の視覚的な特徴を持たせて、アクション・ラインと呼ばれるマーカとして表示されることが望ましい。アクション・ラインは、各々の個々のトレーダによって選択されるが、価格と収益の比率、変動率、売上のボリューム、又はトレーダがデザインする任意の計測基準を反映することができるか、あるいは事前に決められた計測基準のリストから選択されることができる。アクション・ラインは、それが計測するデータ内の変化に反応し、基本的にリアルタイムで更新される。アクション・ラインによって、トレーダは、その銘柄に対するトレーダ独自の評価と比較した、その銘柄の現時点の評価を直ちに判断することができる。売り注文又は買い注文がアクション・ラインに接近すると、トレーダはトレーダ独自の評価に従って取引を成立させる準備をする。
【００１１】
本発明の別の側面では、トレーダが前述のユーザ・インターフェースのうちの１つを見ている間、市場データ及び他のコンテキスト・データが表示される。市場の状態、及びそれがどう銘柄の価格に影響を与えるかを判断しているトレーダに、追加の情報を提供するために、履歴チャートがユーザ・インターフェースの背景に表示される。例えば、履歴チャートは、様々な市場指数、その銘柄又は他の銘柄の過去の価格、及び他のいかなる過去の価格、数量、又はボリュームの傾向をも表わすことができる。履歴チャートは、ある期間に渡ってその銘柄の平均値を表わすことができるが、任意の他の銘柄又はグループの銘柄に対する価格又は複数の価格を表わすこともできる。履歴チャートは、価格を垂直軸にして、時間を水平軸にして表示される。履歴チャートは、トレーダが取り引きしている間、トレーダに最新の情報を提供するために更新される。したがって、本発明に従って、トレーダは、他の銘柄に関する重大な情報、又はこの銘柄の過去の投資収益、及び他の指標を受け取っている間、銘柄に関して即時の決定を下すことができる。このことは、この情報が同時に提供されずに、仮に提供されてもすばやく処理することが困難である、従来式の取引方法に勝る大きな利点である。
【００１２】
代替的な実施形態は、各トレーダのトレーダ・アイコンを表示し、トレーダの活動レベルを反映してトレーダ・アイコンの位置を決める、取引立合所のビューを提供する。またフロア・ブローカ及び他の傍聴人も表示されて識別され、その結果、トレーダは、その取引立合所用のトランザクション・サーバに現時点で接続されているすべてのユーザの、それぞれの位置及び活動を一目で理解できるようになる。トレーダ・アイコンを選択すると、トレーダに関する情報が提供され、ウィンドウが開かれ、そうしてトレーダは、ネットワーク接続を介して電子メール、テキスト・チャット、又は音声による通信を含む１つ以上の方法を用いて、互いに通信することが可能になる。取引立合所のビューは、リモート・トレーダが、トレーダが誰に対して取引しているか、彼等がどれくらい活動的であるかを直ちに確認できるようにし、またトレーダがより良く市場を予測できるようにする。
【図面の簡単な説明】
【００１３】
【図１】本発明の電子取引システムについての好適な実施形態のブロック図である。
【図２】本発明のトランザクション・マネージャについての好適な実施形態のブロック図である。
【図３Ａ】本発明に従った、プライオリティ・ビューの実施形態を図示するスクリーン・ショットである。
【図３Ｂ】本発明に従った、プライオリティ・ビューの実施形態を図示するスクリーン・ショットである。
【図３Ｃ】本発明に従った、プライオリティ・ビューの実施形態を図示するスクリーン・ショットである。
【図３Ｄ】買い注文のポップアップ・ウィンドウを示す。
【図３Ｅ】売り注文のポップアップ・ウィンドウを示す。
【図４】本発明に従った、価格／数量のビューの実施形態を図示するスクリーン・ショットである。
【図５】本発明に従った、買い注文及び売り注文アイコンを表示する方法についての好適な実施形態を図示するフローチャートである。
【図６】本発明に従った、買い注文のアイコンを生成する方法についての好適な実施形態を図示するフローチャートである。
【図７】本発明に従った、売り注文のアイコンを生成する方法についての好適な実施形態を図示するフローチャートである。
【図８】注文アイコンを生成するための、代替的な実施形態を図示するフローチャートである。
【図９】本発明に従った、立合所パネルのビューを図示するスクリーン・ショットである。
【図１０】本発明に従った、トレーダのアイコンを生成し、配置するための好適な実施形態を図示するフローチャートである。
【図１１】本発明に従った、通信ウィンドウを図示するスクリーン・ショットである。
【発明を実施するための形態】
【００１４】
好適な実施形態の詳細な説明
図１は、本発明に従った電子取引システムを図示する。クライアント端末１０４はトランザクション・マネージャ１００につながれる。クライアント端末１０４は、パーソナルコンピュータ、ネットワークの一部としての端末、又は他の計算デバイスである。トレーダは、トランザクション・マネージャ１００によって管理されるクライアント端末１０４を、取引立合所との対話に用いる。トランザクション・マネージャ１００は、クライアント端末１０４によって生成されたトランザクション要求を管理し、端末１０４とトランザクション・マネージャ１００への、端末１０４とトランザクション・マネージャ１００からの、及び端末１０４とトランザクション・マネージャ１００との間での情報のルートし、そして１つのデータベース１０８から又は複数のデータベース１０８に情報を格納し、そして取り出す。
【００１５】
図２は、トランザクション・マネージャ１００のより具体的な実施形態を示す。クライアント１０４は、ログイン・マネージャ２０４につながれ、各クライアントにトランザクション・マネージャ１００へのアクセスを提供し、かつ各クライアント１０４が１つ以上の取引立合所２２０を選定できるようにする。トランザクション・マネージャ１００は、１つ以上のトランザクション・プロセッサ２００をホストする。各トランザクション・プロセッサ２００は、基本的に特定の取引立合所をサポートすることで、特定された銘柄の取引を担当する。各トランザクション・プロセッサ２２０用の要約情報エージェント２２４は、各立合所２２０の活動についての現在の状態を、ログイン・マネージャ２０４に接続されたトレーダに提供する。トレーダは、その要約情報に基づいて、接続されるべき立合所２２０を選択することができる。いったんログイン・プロセスが完了すると、クライアント１０４は、特定された取引立合所２２０用の登録サーバ２１２につながれる。各立合所２２０に対する登録は、ログイン時にログイン・マネージャ２０４から受け取ったアクセス・キーを提供するよう、クライアント１０４に要求する。
【００１６】
立合所２２０に対する登録の後、トレーダは、取引立合所２２０の中で取引されている銘柄に対する注文を追加、修正、削除することができる。「買い注文」と呼ばれるタイプの注文は、指定の価格か又はそれ以下で、指定の数量の銘柄を買う注文である。「売り注文」と呼ばれる別のタイプの注文は、指定の価格かそれ以上で指定の数量の銘柄を売る注文である。他のタイプの注文が、取引立合所２２０の中で取引される銘柄のタイプによっては、可能である。
【００１７】
各立合所２２０は、トランザクション・サーバ２００を含む。トランザクション・サーバ２００は、注文を受け取り、買い注文及び売り注文をマッチさせ（買い注文及び売り注文がマッチする時、それは取引あるいは実行と呼ばれる）、データベース２０８と、取引立合所２２０に接続されたクライアント端末１０４との両方に情報をルートする。クライアント端末１０４は、買い注文及び売り注文に対するアイコン（買い注文及び売り注文アイコンと呼ばれる）、過去のチャート、及びトレーダ・アイコンを生成し、そしてトランザクション・サーバ２００から受け取られた情報に応じて、買い注文及び売り注文アイコン、及びトレーダ・アイコンの配置を決定する。トランザクション・サーバ２２０がつながれているデータベース２０８は、各トレーダに対応する情報、ある期間（取引開始日のような）に渡って提出されたすべての注文についての情報、ある期間（過去１８０日のような）のすべての取引についての情報、及び取引されている銘柄に対応する情報を格納する。各トレーダは、名前、電子メール・アカウント、住所、電話番号、個人の価格計測する計量的又は分析的な活動水準の履歴、及び個々のトレーダにとってユニークな情報で、バーチャルな取引環境を築くために本発明によって用いられる他の様々な情報を含む、トレーダのアカウントに関連する情報を格納させることが出来る。
【００１８】
すべての注文に対応する情報は、注文が新規の注文なのか、既存の注文に対する変更なのか、以前に出された注文の削除なのかどうか、注文のタイプ（例えば、買い注文又は売り注文）、価格、数量、注文が出された日時、及びその注文固有の他の情報を含む。すべての取引に対応する情報は、価格、数量、買い手、及び売り手を含む。取引される銘柄に対応する情報は、その銘柄に対するすべてのオープン注文の価格のリストだけでなく、その銘柄に対する最高の未処理の買い注文の価格、及び最低の未処理の売り注文の価格を含む。銘柄情報は、注文テーブルのようなデータ構造のデータベース２０８上に格納される。サーバ２００は、クライアント端末１０４から受け取る情報に応じて注文テーブル内の情報を更新する。その後、更新された情報が、クライアント端末１０４に伝送され戻される。過去のチャートを作成するのに用いられる情報などの他の情報もまた、データベース２０８上に格納されることができる。また１つ以上の立合所２２０に対してグローバルであり得る情報、例えばトレーダの個人情報は、その情報が各取引立合所２２０によってアクセスされることができるようにシステム・データベース１０８上に格納される。
【００１９】
同じ取引立合所２２０に登録されたトレーダのために、彼等の注文（つまり、価格と数量を明示した買い注文及び売り注文）の全てが、その立合所２２０用のトランザクション・サーバ２００に伝送される。サーバ２００は、未処理注文又はオープン注文にマッチする注文を分析する。異なるタイプの注文間、例えば買い注文と売り注文の間にマッチするものがある場合、取引が成立し、クライアント端末１０４はマッチしたアイコンを削除するよう通知される。すべての未処理注文が、各クライアント端末に伝送され、いつでも、すべてのトレーダからの取引立合所上の銘柄に対する未処理注文のすべてを、トレーダが見ることを可能にする。クライアントの画面は、どの注文が未処理であるか、及び立合所２２０での市場の状況、に関する最新情報を提供するために、連続的に又は特定の間隔で更新される。図２に示されるように、複数の取引立合所２２０が、電子取引システム内に用意され、１人のトレーダが、要求されるだけの数の立合所２２０に同時に接続されることができる。本発明に従って維持されることのできる取引立合所２２０の数は、システムに提供されるサーバの数に応じて、拡張可能である。取引の銘柄は、可能な商品なら何でも、例えば鉱物、先物、会社の株式を含む。当業者に知られているように、他のネットワーク構成が、その電子取引システムを実現するために使用されることができる。
【００２０】
クライアント端末１０４は、トレーダと取引立合所２２０との間に対話型の相互連絡を提供し、本発明の様々なユーザ・インターフェースを表示する。図３ａは、本発明に従って、トレーダが直覚的に注文３００、３０４を行うことができるように設計されるプライオリティ・ビュー３１２、価格を計る計測基準を表わすビュー・メーカ３３６、及びコンテキスト傾向データ３１６を示す。プライオリティ・ビューの実施形態では、注文３００、３０４が、価格軸３３２に関して、それらの価格に相当する位置に表示される。価格は、それによって銘柄が評価される、値段、利率、又は任意の他の計測基準を表わす。例えば、売り注文３０４（１）は、２８．４５ドルの価格を持ち、アイコン３０４（１）の底辺３０８の最低点は、価格軸３３２上の価格２８．４５と一直線をなす。この実施形態では、買い注文アイコンの上辺３０９と、売り注文のアイコンの底辺３０８とが角度を成している。右端の買い注文は最高値を持つ買い注文であり、右端の売り注文は最低値を持つ売り注文である。こうして、アイコン３００、３０４の辺３０８、３０９が、最新の最低の売り注文と最新の最高の買い注文との間の価格の分離を指し示す三角形を形成する。各注文の数量は、その長さあるいは高さといったアイコンのサイズによって表される。より大きなサイズを持つアイコンは、より大きな数量を持つ注文を表わす。スクリーンに表示された注文の指定数量及び他の情報については、その注文を選択することによって、選択された注文の正確な価格及び数量を表示するためのポップアップ・ウィンドウが起動することで、知ることができる。代替的な実施形態では、もしトレーダがその注文を選択するによって、その注文が提出されるならば、トレーダが買い注文又は売り注文アイコンを選択することで、指定の注文情報が、注文タスク・バー３２８に表示される。代わりに、スペースが許されるなら、数量及び価格がアイコン自体の中に表示されてもよい。
【００２１】
等しい価格を備えたいくつかの注文がある場合、注文が出された時間に応じて、注文は積み重ねられ、又は互いに隣接して配置される。例えば、買い注文３００（５）、３００（６）、３００（７）は等しい価格２９．５０ドル持つ。したがって、３つの買い注文アイコン３００はすべて垂直に積み重ねられる。積み重ねるための好適な方法は、ひとりでに生じて買い注文及び売り注文を分ける水平な空間に、最も近い所に最も古い注文を配置する。表示される買い注文のすべてが、表示される売り注文よりも常に低い価格であるので、買い注文と売り注文との間の水平方向の分離がひとりでに生じる。買い注文が、売り注文以上の価格で配置されるなら、直ちに取引が成立し、アイコンが削除される。例えば、図３ａの中の注文３００（７）、３００（６）及び３００（５）を包含している積み重ねの中で、最初の、したがって時間的に最も古い買い注文は、３００（７）であり、積み重ねの一番上、つまり表示される買い注文と売り注文との間の水平方向の分離に最も近いところに配置される。他の２つの積み重ねられた買い注文３００（６）、３００（５）は、それらが提出された時間に応じて、最も古い買い注文３００（７）より下に置かれ、最も古いものから最も新しいものの順にソートされる。売り注文３０４（２）、３０４（３）及び３０４（４）を包含している積み重ねでは、最も古い売り注文３０４（２）が、水平方向の分離に最も近い、積み重ねの最下位に置かれ、また最も新しい売り注文３０４（４）は、積み重ねの最上位に置かれる。買い注文及び売り注文を順序付ける上記の方法は、好適な方法であるが、しかしながら、他の順序スキームが本発明の範囲内で用いられることが可能である。
【００２２】
本発明に従ってクライアント端末１０４を用いるトレーダは、取引されようとしているその銘柄に対する未処理注文３００、３０４のすべてを示される。これは本発明と従来のシステムとの間の１つの重要な違いである、なぜなら本発明に従ってシステムを用いるトレーダは、取引されようとしている銘柄の売買に加えて、買い注文及び売り注文における傾向を見ることができるからである。例えば、図３ａでは、トレーダは未処理注文３００、３０４をすばやく分析でき、また売り注文（９）とほとんど同数の買い注文３００（８）があることを判断できる。そうして、トレーダは、市場が安定していて、近い将来その銘柄の価格は劇的に引き上げられたり、下がったりしないと推論できる。従って、トレーダは、どんなアクションも起こさないと決定してもよい。しかしながら図３ｂに示されるように、増大された数の買い注文アイコン３００の表示によって示されるように、買い注文の数が増大することを通して需要が高まる場合、あるいはより大きなサイズを持つ買い注文アイコン３００の表示によって示されるように、買い注文が大量に作られつつある場合、そして売り注文アイコン３０４の数が減少している表示によって示されるように、供給が後退する場合、トレーダは、その銘柄の価格が上昇すると予測することができる。結果的に、トレーダは、現在の低い価格の売り注文３０４に対して買い注文を出す。こうして、ある銘柄に対して為される未処理の売り注文アイコン３０４及び買い注文アイコン３００のすべてを眺めることによって、トレーダは市場を予測し、その情報を利用して彼又は彼女の取引計画をすばやく調整することができる。対照的に、従来のシステムでは、トレーダは最新の最高の買い注文及び最新の最高の売り注文を単に知っていただけである。図３ａの例では、トレーダが、買い注文３００（９）及び売り注文３０４（１）の存在を単に知っているだけだろう。マーケット・メーカだけが、他の買い注文及び売り注文の存在について知っているだろう。したがって、個々のトレーダは、買い注文の傾向が分からず、市場を予測することに非常な困難を経験する。
【００２３】
またトレーダは、売り注文アイコン３０４及び買い注文アイコン３００間の落差を見て、いくらの価格でいくらの数量の取引がなされるであろうかを判断することができる。図３ａの例では、トレーダは、２７．３５ドルより僅かに低い価格に、いくつかの買い注文３００（５）、３００（６）、３００（７）があることを判断することができる。したがって、トレーダが売るべき多くの銘柄を持っているなら、トレーダはその価格で売り注文を出すことができ、彼又は彼女の銘柄のすべてを確実に売ることが可能である。しかしながら、この価格が低すぎる場合、トレーダは、銘柄の価格が上昇するまで、彼の銘柄の全部を保持するよう選択することができ、そうすることで、スクリーン内のより高い価格位置に、追加の買い注文アイコンを表示させることになるだろう。対照的に、トレーダが従来型のシステムを用いていたならば、トレーダは、いつ売り注文に出すのが適切であるかを事前に知ることなしに、彼の銘柄を漸増的に売り注文に出さなければならないだろう。
【００２４】
価格軸３３２は、ある銘柄が取引されている価格を表わす。この価格は、銘柄のロウ・プライスのように、銘柄に対する異なった質の尺度を示すことができ、債券については、その価格は債券に対する原価、または債券に付けられる利率であり、また価格はその銘柄に示される変動率に対する１つの尺度として用いられる、例えばオプションの相対的な経費の一般的な大きさである。各トレーダは自分自身の価格の尺度を用いることができる。例えば、１人のトレーダは価格軸に債券コストを用い、別のトレーダは、債券に付けられる利率を用いることができる。価格に関するトレーダの選択に関係なく、異なる注文が、トレーダの選択した価格に置き換えられてトレーダのスクリーン上に表示される。さらに、価格の目盛は完全にカスタマイズ可能である。例えば、金の鞘取引者は、金属の即金払い価格より小さい金属の先物価格間の差を計測する目盛を作ることができる。それから、鞘取引者は、金に付けられる利率を生み出す、先物／現金の価格差に、保険及び保管を含めて、運搬のコストを適用することができる。したがって、鞘取引者にとって、価格軸は利率になる。別の例において、大豆油の取引に関心のあるトレーダは、大豆を売買するが、大豆の粉砕、大豆の保管、輸送などの現時点でのコストを表わす価格軸を用いることによって、実際に大豆油の取引を行うことができる。したがって、同じ取引立合所２２０内の異なるトレーダは、同じ買い注文及び売り注文でも、自分の特定した価格軸で編成されたものを見るであろう。したがって本発明は、銘柄に対するトレーダ自身の関心をダイレクトに表わす銘柄の価格を持たせたビューの構築に、非常に大きな柔軟性を提供する。
【００２５】
プライオリティ・ビュー３１２には、トレーダに他のいくつかの利点を提供する。売り注文３０４及び買い注文３００は、トレーダがこの銘柄の市場の現時点での情勢をすばやく確認することができるように、異なる色、形、テクスチャ又はサイズ、あるいはその他の際立った視覚的な特徴を持たせて表示される。さらに、トレーダによってなされる注文は、他のトレーダの注文を表示するために用いられる視覚的な特徴とは異なった視覚的な特徴を持たせて表示される。こうすることで、トレーダは自分の注文と他のトレーダの注文とを容易に識別することができる。例えば図３ａで、トレーダは、売り注文３０４（３）及び３０４（７）がトレーダ自身の売り注文３０４であると直ちに判断することができるので、どの市場分析よりも有利なはずである。図３ａでは、トレーダが、トレーダ自身がそこに最多の買い注文３００を持つトレーダであると、すばやく判断することができ、そのことから、トレーダが立合所２２０から彼の買い注文３００を取り除けば、その銘柄の価格が下がるかもしれないことがトレーダに分かる。
【００２６】
注文は、本発明のユーザ・インターフェースを用いて、様々な方法でトレーダによって出されることができる。図３ａに示されるような１つの実施形態で、トレーダは、注文タスク・バー３２８を用いることによって、ダイレクトに注文を出すことができる。買い注文又は売り注文のいずれかの価格及び数量、ならびに期限を指定するオプションが提供される。情報が入力された後、トレーダがプレイス・オーダ（Ｐｌａｃｅ Ｏｒｄｅｒ）を選択すると、注文が立合所２２０用のトランザクション・サーバ２００に提出され、売り注文又は買い注文アイコン３０４、３００が、所望のサイズで所望のロケーションに生成され表示される。その注文情報は、トランザクション・サーバ２００に通信され、そしてそこから他のクライアント端末に通信され、その結果、新しい買い注文／売り注文が、この同じ立合所内の他のすべてのトレーダのディスプレイに現われる。好適な実施形態では、トレーダが、ポインティング・デバイスを用いて、売り注文トークン３２４又は買い注文トークン３２０のいずれかを単に選択することによって注文を出す。選択した後、トレーダは、トークンのサイズが注文の所望数量と一致するまで、売り注文又は買い注文トークン３２４、３２０のサイズを調整する。適切なサイズの注文トークンを作成するプロセスを容易にするために、現在のサイズのトークンの数量を数字で示すための、ポップアップ・ウィンドウ又は他のスクリーン・インディケータが表示されることが望ましい。次に、そのトークンが注文の所望値に対応するスクリーン上の位置にドラッグされる。トークンがドラッグされると、再びスクリーン・インディケータがその現在位置でのトークンの現在価格を表示し、トークンが正確に所望値に配置されるようにする。
【００２７】
図３ａの実施形態では、買い注文トークン３２０がディスプレ内のある位置に移動されると、価格マーカ３４４が買い注文トークンに付く。注文が置かれると、価格マーカ３４４が新しい注文の価格を指し示す。これにより、トレーダは、容易に正確にトークン３２０、３２４を所望値に移動させることができる。所望値に達した後、トレーダはポインティング・デバイス・ボタンを解除し、図３ｄに示されるように、買い注文のポップアップウィンドウ３５０が、買い注文の注文情報と共に表示される。買い注文のポップアップウィンドウ３５０によって、トレーダは、注文情報（価格、数量、期限）の修正、注文のキャンセル、又は現在表示されている情報を持った注文を提出できる。その注文が銘柄の売り注文である場合、図３ｅに示されるように、売り注文のポップアップウィンドウ３５４が表示される。その注文は、トランザクション・サーバに提出された後、トランザクション・サーバ２００に接続されたこの取引立合所内のすべてのトレーダのスクリーン上に表示される。
【００２８】
本発明のユーザ・インターフェースの追加の機能は、コンテキスト・データの提供である。コンテキスト・データは、その銘柄の過去の取引データ、他の銘柄の過去又は現在の取引データ、銘柄平均の過去又は現在の取引データからなる。例えばトレーダは、ダウ＝ジョーンズ株価平均TMがスクリーン上に表示されリアルタイムで更新されることを望み得る。未処理の売り注文及び買い注文に加えて、コンテキスト・データを見ることによって、トレーダはより良く市場を予測することができる。例えば、ダウ＝ジョーンズTM株価平均がコンテキスト・データとして用いられ、急激に下落しつつあるならば、トレーダはたとえ立合所２２０の銘柄の価格が安定していても、彼の銘柄を売り始めることを決断することができる。これによってトレーダは、市場がどの方向に向けられているかを予測することができる。トレーダにとって有用などんなタイプのデータでも、コンテキスト・データとして表示されることができる。コンテキスト・データ３１６は、垂直軸に価格、水平軸に時間を持つ履歴チャート３１６として表示されることが望ましい。履歴チャート３１６は、例えば時間、分間などの、いかなる期間に対しても、表示されることができる。履歴チャート３１６は、銘柄のデータが更新されると、周期的に更新される。図３ａに示されるように、履歴チャート３１６が現在の銘柄を含む場合、その期間での銘柄の高値及び低値を示すバー・ラインがそのデータ内に表示される。出来高グラフ３４０は、グラフの下部の端に表示される。出来高グラフは、立合所２２０での取引の出来高を図示し、銘柄に対する市場の状態に関する追加情報をトレーダに与える。
【００２９】
本発明のユーザ・インターフェースのさらに別の機能は、マーカ３３６の表示である。マーカ３３６は、トレーダによって指定された価格を計る計測基準を示す。その計測基準は、その銘柄の価格がアクション値より上がるか、あるいはアクション値より下がる場合に、トレーダが行動すべきである価格を識別する、その銘柄に対する現時点でのアクション値を決定する。例えば、図３ｂでは、価格を計る計測基準が、６８．５７ドルのアクション値を生成している。マーカ３３６は、現時点の買い注文３００及び売り注文３０４に関するアクション値の位置をトレーダに示すために、この価格で表示される。図３ｂの例では、マーカがアクション・ライン３３６として表示される。見て分かるように、未処理の買い注文はアクション・ライン３３６より下であり、現時点の売り注文はアクション・ライン３３６より上である。これは、どのようなアクションも講じられるべきでないことをトレーダに示す。
【００３０】
価格を計る計測基準は、銘柄の真価を突き止めるのに重要であるとトレーダが信じる因数に基づいたアルゴリズムあるいは定式でありうる。この計測基準は、価格と収益の比率、変動率、注文のボリューム、パーセント利得、あるいは任意の単純又は複雑なデザイン、を反映するよう設定されることができる。トレーダは顧客計測基準を入力することができるか、あるいは計測基準のあらかじめ指定されたリストから計測基準を選択することができる。計測基準は、第三者から購入され、クライアント端末１０４に組み込まれることができる。このことによって、新しい計測基準がいつでも追加されることが可能である。計測基準によって表示されるアクション値は、クライアント端末１０４又はサーバ２００のいずれかによって動的に決定され、そして計測基準のコンポーネントに関わる新しいデータが受け取られた時はいつも、更新される。したがって、トレーダは、トレーダのアクション・ライン３３６を更新する最新情報を与えられ、可能な注文に関して、現時点での、情報に基づく判断を行うことが可能である。例えば、図３ｃでは、計測基準が図３ｂの時点から更新されている。アクション・ライン３３６が、８０．２１ドルという新しいアクション値に対応するように移動したのである。見て分かるように、更新されたアクション・ライン３３６を表示することによって、未処理の売り注文が今は彼のアクション・ライン３３６より下にあるので、図３ｂの時点から図３ｃの時点まで売り注文自体が同じ価格のままであったという事実にもかかわらず、これらの売り注文が購入されるべきであるということを、トレーダは直ちに判断することができる。
【００３１】
上に説明されるように、トレーダは同時にいくつかの取引立合所２２０に接続されることができる。トレーダが複数の接続を持っていれば、トレーダは異なる立合所２２０を同時に見ることができる、あるいは、トレーダが単一の銘柄に専念したければ、トレーダは１つの立合所２２０だけを表示させることができる。さらに、トレーダは、トレーダの好みに合うように、ビューに対する様々なオプションを無効にして、トレーダの特定の端末１０４の視界を最大限にすることができる。
【００３２】
図４は、本発明に従ったユーザ・インターフェースの代替的なビューを示す。価格／数量のビュー４２０は、第１の軸４０８を価格に、第２の軸４１２を数量に用いて、その銘柄に対する市場を図示する。したがって、各売り注文アイコン４００及び各買い注文アイコン４０４の位置は、売り注文又は買い注文に対する価格、及び売り注文又は買い注文がなされる数量を表わす。随意で、コンテキスト・データと同様に、アクション・ライン３３６もまた表示される。代替的なビューは、市場の状態についての直覚的な異なった見方を提供する。代替的なビューの提供によって、図３ｃに示されるように、本発明の電子取引システムは、異なるトレーダの異なる好みが満たされることを可能にする。このビューでの注文は、売り注文トークン４１６又は買い注文トークン４１２を選択し、所望の数量及び価格に対応する位置にトークンを移動させることにより提出される。トレーダが直ちに購入したい場合は、トレーダは、任意の売り注文トークンのちょうど上を覆う位置に買い注文トークン４１２を単にドラッグすることがき、そうすると、売り注文トークンのそれに等しい価格及び数量を備えた買い注文を表示するウィンドウが、ポップアップする。トレーダが直ちに売りたい場合は、トレーダは、任意の買い注文トークンのちょうど上を覆う位置に売り注文トークン４１６を単にドラッグすることができ、そうすると、買い注文トークンのそれに等しい価格及び数量を備えた売り注文を表示するウィンドウが、ポップアップする。その後、トレーダは取引を実行することができる。
【００３３】
図５は本発明に従ったユーザ・インターフェースの好適な実施形態を図示するフローチャートである。トランザクション・サーバ２００から受け取られるデータを通して、クライアント端末１０４は、買い注文の数量及び価格に対応する少なくとも１つの未処理の買い注文アイコンを表示する５００。またクライアント端末１０４は、売り注文の数量及び価格に対応する少なくとも１つの未処理の売り注文アイコンを表示する５０４。したがって、少なくとも１つの未処理の買い注文及び売り注文アイコンを表示することによって、「ブック」が開かれ、クライアント端末を見ているトレーダは、ある銘柄に対する供給と需要における傾向を容易に見つけることができ、すばやく市場を予測することができる。
【００３４】
図６は、本発明のプライオリティ・ビュー３１２に従った注文アイコンを生成するための方法の実施形態を示す。まず、クライアント端末１０４は注文タイプを受け取る６００。注文は、買い注文又は売り注文のいずれかでありうる。トレーダは、注文を出すために、売り注文又は買い注文のトークンを選択することにより、あるいはタスク・バー上の注文タイプを手動で指し示すことにより、タイプを特定する。次に、クライアント端末１０４は、注文のために指定された数量を受け取る６０４。その数量は、上に記述されたように、注文タスク・バーの中にダイレクトに数字を入力するか、あるいは注文トークンのサイズを調整するどちらかによって、トレーダによって指定される。注文情報がタスクバーに入力される実施形態では、注文がサーバ２００によって処理された後、指定された数量にその垂直サイズが一致する注文アイコンが生成される６０８。その後、クライアント端末１０４は注文に対する価格を受け取る６１２。再度、トレーダはタスクバーに情報を入力することにより価格を指定するか、あるいは価格に対応する位置に注文トークンをドラッグすることができる。最終的に、クライアント端末１０４は、価格、数量及び期限情報を表示する注文確認ウィンドウを表示する６１４。トレーダは、このウィンドウで注文を修正することができ、その後、ウィンドウを閉じるか又はキャンセル・ボタンを押すことによって注文をキャンセルするか、あるいはＯＫボタンを押すことによって注文を提出しなければならない。価格及び数量並びに注文タイプを受け取るクライアント端末１０４は、その情報をサーバ２００に伝送する６１６。その後、サーバ２００は注文情報を処理し、注文テーブルを更新する。
【００３５】
サーバ２００がクライアント端末１０４へ更新された注文情報を伝送すると、クライアント端末１０４は、プライオリティ・ビューの中で、その注文が買い注文の場合、より低い価格を持つ既存の注文に隣接してスロットが空いているかを判断し、その注文が売り注文の場合、より高い価格を持つ既存の注文に隣接してスロットが空いているかどうかを判断する６１８。プライオリティ・ビュー３１２では、水平軸は、各スロットが注文アイコン３００、３０４に等しい幅を持ち、標準セットオフ・ユニットによって分離されるスロットに分割される。入ってくる注文は注文の価格によってソートされる。売り注文については、最低の価格を備えた売り注文が、価格の軸３３２に最も接近して配置され、また、買い注文については、最高の価格を備えた買い注文が価格の軸３３２に最も接近して配置される。新しい注文が受け取られる場合、クライアント端末１０４は未処理注文を再ソートし、適切な位置に注文アイコン３００、３０４を置く。新しい注文が同タイプの既存の注文に等しい場合、その注文は既存の注文上に積み重ねられる。図６は、新しい買い注文を置く例を用いて、ソート・メカニズムのより詳細な方法論を示す。しかしながら、その方法論は、新しい売り注文を置く際にも、同様に適用可能である。
【００３６】
新しい買い注文は、新しい買い注文の価格より大きな価格を持つ既存の買い注文のセットのうちの最小の価格を持つ既存の買い注文に隣接するスロットに指定される。クライアント端末１０４は、この決められたスロットがその中に既存の買い注文を持っているかどうかを判定する６１８。持っていないなら、アイコンは決められたスロットに置かれる６３６。スロットが既存の買い注文を保持している場合、クライアント端末１０４は、既存の買い注文が、要求された買い注文未満の価格を持っているかどうかを判定する６２０。要求された買い注文未満の価格を持つ既存の買い注文はすべてが、価格の軸３３２から見て、遠くに配置されている隣接スロットへ移動される６４０。図３ａの例では、隣接するスロットは、左に配置されたスロットになる。要求された買い注文未満の価格を持つ他のすべての買い注文が、相応してシフトされる６４０。クライアント端末が、既存の買い注文は要求された買い注文に等しい価格を持っていると判断する６２４場合、要求された買い注文は、上に記述された買い注文と売り注文との間の水平方向の分離から遠ざかって、既存の買い注文（複数可）の下に積み重ねられる６３２。クライアント端末１０４が、既存の買い注文は要求された買い注文より大きいと判断する場合６２８、新しいスロットが、要求された買い注文用に決定され６２８、プロセスが繰り返される。
【００３７】
図７に示されるように、新しい買い注文情報を受け取ると、トランザクション・サーバ２００は、要求された買い注文以下の価格を持つ注文テーブル内に既存の売り注文があるかどうかを判定する７００。ない場合、新しい買い注文はテーブルに追加され、新しい買い注文に関する情報が、表示のためにクライアント端末１０４に送られる７０２。要求された買い注文以下の既存の売り注文がある場合、つまり、新しい買い注文が最も高い価格を持つ未処理の買い注文である場合、サーバ２００は、既存の売り注文が買い注文によって示される数量未満の数量しか持っていないかどうかを判定する７０４。売り注文が買い注文未満の数量しか持っていない場合、サーバは、注文テーブルからその売り注文を削除し７０６、そして削除された売り注文の数量分だけ数量を減少させられた新しい買い注文を注文テーブルに追加する。
【００３８】
サーバ２００は、新しい買い注文を提出していたトレーダと、削除された売り注文を提出していたトレーダとの間の取引を、売り注文の価格に等しい価格で、及び売り注文の数量に等しい数量で記録する７２０。未処理のクライアント端末１０４のすべてが、その取引に関する情報を送られる。その後、クライアント端末１０４は、既存の売り注文アイコンを削除し、既存の売り注文アイコンと要求された買い注文アイコンとの間の数量の差に相当するサイズを持つ買い注文アイコンを追加する。トランザクション・サーバ２００は、その買い注文に残っている数量で別の取引を作ることができるかどうかを判断するために、要求された買い注文以下の価格を持つ既存の売り注文が、注文テーブル内にあるかどうかを再び判定する７００。
【００３９】
またサーバ２００は、売り注文が、要求された買い注文の数量より大きな数量を持っているかどうかを判定する７０８。そうである場合、売り注文の数量は、買い注文の数量分だけ減少させられ７１６、更新された売り注文情報が、表示のためにクライアント端末１０４に送られる７１７。新しい買い注文を提出していたトレーダと、売り注文を提出していたトレーダとの間の取引が、売り注文の価格に等しい価格で、及び売り注文の数量に等しい数量で記録される７２０。未処理のクライアント端末１０４のすべてが、その取引に関する情報を送られ、それに従ってユーザ・インターフェース表示を更新する。
【００４０】
買い注文及び売り注文の数量が等しい場合、売り注文はテーブルから削除され７１２、取引は完了する。新しい買い注文を提出していたトレーダと、売り注文を提出していたトレーダとの間の取引が、売り注文の価格に等しい価格で、及び買い注文の数量に等しい数量で記録される７２０。未処理クライアント端末１０４のすべてが、取引に関する情報を送られ、それに従ってユーザ・インターフェース表示を更新する。
【００４１】
図８に示されるように、価格／数量のビューで、クライアント端末１０４は、価格を受け取り８００、数量を受け取り８０４、そして新しい注文に対する注文タイプを受け取る８０６。確認ウィンドウが表示され８０７、注文を確認すると、注文情報がサーバ２００に伝送される。ここでもやはり、トレーダが情報をダイレクトに入力するか、あるいは注文トークンを適切な位置にドラッグすることに反応してこれが起こり、そしてその注文を確認する。サーバ２００は注文情報を受け取り、注文テーブルを更新し、クライアント端末１０４に更新された情報を送る。クライアント端末１０４は、数量の軸及び価格の軸に関して、注文の価格及び数量に対応する位置に新しい注文アイコンを表示する。新しい注文が売り注文で、その売り注文の価格以上の価格を持つ既存の買い注文がある場合、取引が達成され、新しい売り注文トークンあるいは修正される買い注文トークンが、元の売り注文及び買い注文アイコンが示していた数量に応じて表示される。
【００４２】
図９は、本発明に従った、ピット・パネル・ビュー９００と呼ばれる取引立合所ビュー９００を示す。ピット・パネル・ビュー９００は、立合所２２０の他のメンバーに、視覚的なインターフェースを提供する。立合所２２０に現時点で登録されているユーザのすべてが、立合所パネル９００に表示される。これは立合所２２０の活動に関わるトレーダにとって、重要な情報である。立合所２２０が混雑している場合、トレーダは取引の変動を期待することができる。立合所２２０が空いている場合、トレーダは、銘柄に対して薄い商いと比較的安定した価格を期待することができる。
【００４３】
立合所パネル９００は、トレーダ・アイコン９１２、オブザーバ・アイコン９０４、及びフロア・ブローカ・アイコン９０８を表示する。オブザーバは、立合所２２０に登録されるが、積極的には取引しないユーザであり、フロア・ブローカは、立合所の銘柄及びトレーダについての専門的知識を持っていて、普通でない取引を実行する際にトレーダを支援する個人であり、複数のトレーダと取引を取り決めたり、あるいは他のトレーダにトレーダについての履歴及び情報を提供する。オブザーバは自分自身のためには取引しないので、彼等のアイコン９０４は、立合所アイコン９１６の外部に置かれる。取引しないフロア・ブローカもまた、彼等のアイコン９０８を立合所アイコン９１６の外部に置く。
【００４４】
トレーダ・アイコン９１２は、立合所アイコン９１６に表示される。立合所アイコン９１６は、連続した同心性の多角形として表示されることが望ましく、そこのそれぞれの多角形は、１つ又は複数の活動レベルを表わす。より活動的なトレーダは、立合所アイコン９１６の中央に接近して置かれる。最も活動的なトレーダ、図９の例ではトレーダ９１２（１）は、立合所アイコン９１６の中央に置かれる。好適な実施形態では、各多角形は活動レベルの範囲を表わす。例えば、最も内側の多角形には、２番目から９番目に高い活動レベルを持つトレーダが含まれる。次の多角形には、１０番目から２６番目に高い活動レベルを持つトレーダが含まれ、以下同様である。トレーダを活動の程度でグループ化すること、そうして多角形によって表される範囲からシフトしているトレーダの活動レベルに応じてのみ、トレーダのアイコンを多角形から移動させることによって、立合所アイコン９１６のディスプレ内のアイコンの変化及びその結果として生じるフリッカが最小限にされる。しかしながら、トレーダは、立合所アイコン９１６内のトレーダ・アイコン９１２の相対的な位置に注意することによって、立合所２２０の活動的なトレーダが誰であるか、及びそのトレーダがどれくらい活動的であるかを、容易に確認することができる。
【００４５】
各トレーダ・アイコン９１２は、トレーダが未処理にしている注文の数量を示すための注文インディケータ９１３を持つ。買い注文及び売り注文に対応する分離したインディケータ９１３が各々あることが望ましく、その各々がトレーダが現時点で発行している未処理の買い注文及び売り注文のボリュームを示す。他の注文インディケータ９１３、例えば、注文の全数量の合計、又は特定期間内に入力された注文のボリュームを指し示すインディケータが随意に表示される。またトレーダのアイコン９１２を選択すると、プライオリティ・ビュー、価格／数量のビュー、及び注文を表示するシステムに提供される他のビュー、の上のトレーダの注文が強調表示され、そしてそれはすべて同時に表示されることができる。トレーダ・アイコン９１２をダブルクリックすると、図１１で示されような通信ウィンドウが生成され、それによってトレーダは、選択された別のトレーダへ電子メール・メッセージ１１０８を送ったり、テキスト・チャット・セッションの一部としてインスタント・メッセージ１１０４を送ったり、ネットワーク接続１１１２を介して音声で通信したり、あるいは後の電話又は他の任意の通信をセット・アップすることができる。したがって、立合所パネル９００は、有益な情報を視覚的に表わすことによって立合所２２０内に連帯感を提供し、またトレーダが市場を予測する際に用いることができる追加情報をトレーダに提供する。
【００４６】
図１０は、本発明に従った、トレーダ・アイコンを生成し配置するための好適な実施形態を図示するフローチャートである。まず、取引立合所アイコン９１６が表示される１０００。次に、クライアント１０４が、事前に決められた時間が経過したかどうかを判定する１００４。立合所パネル・データは周期的に更新され、クライアント１０４は、新しいデータを備えた表示が再生成されるまで、それに要する時間を待つ。サーバ２００が、事前に決められた期間が終了したと判断すると１００４、第１のトレーダ・アイコンが選択される１００８。クライアント１０４は、サーバ２００によって提供されるデータから、トレーダがサーバ２００にまだ接続されているかどうかを判定する１０１０。トレーダが接続されていないなら、そのトレーダ用のトレーダ・アイコン９１２が削除され１０１１、そしてクライアント１０４は、さらなるトレーダがあるかどうかを判定する１０２０。そのトレーダがまだ接続されているなら、そのトレーダに対して活動レベルが決定される１０１２。活動レベルは、未処理注文のボリューム、未処理注文の価格、最近の活動、あるいはトレーダがどれほど活動的であったかを判断する他の指標、の組合せとして決定される。活動レベルが決定されたならば、クライアント１０４は、活動レベルに対応する位置にそのトレーダ用のアイコン９１２を表示する１０１６。注文インディケータ９１３が表示される実施形態では、注文インディケータ９１３は、最新の注文データを含むように更新される。好適な実施形態の中で、上に説明されるように、立合所アイコン９１６は同心性の多角形又は輪で構成され、トレーダは活動レベルによって順序付けられ、各多角形は活動レベルの順序の範囲を表わす。トレーダの活動レベルが決定された後、トレーダは彼等の活動レベルに応じて再び順序付けられ、各トレーダ用のトレーダ・アイコン９１２が、トレーダの順序に対して指定される多角形に配置される。クライアント１０４は、さらなるトレーダがいるかどうかを判定する１０２０。いない場合、クライアント１０４は、傍聴人がいるかどうかを判定し１０２４、もし傍聴人がいる場合、最初の傍聴人アイコン９０４、９０８を選択し１０２８、そしてサーバ２００によって提供されるデータを用いて、その傍聴人が接続されているかどうかを判定する１０３２。その傍聴人が接続されていなければ、その傍聴人アイコンは削除される１０４０。その傍聴人が接続されていれば、クライアント１０４はさらなる傍聴人がいるかどうかを判定する１０３６。いない場合、立合所パネル９００のビューが、現時点のユーザ及び彼等の現時点の活動レベルを反映するように更新されたということなので、クライアント１０４は、事前に決められた時間が終了したかどうかを判定するステップ１００４に戻る。
【図１】
2018026146.tif 000003
【図２】
2018026146.tif 000004
【図３Ａ】
2018026146.tif 000005
【図３Ｂ】
2018026146.tif 000006
【図３Ｃ】
2018026146.tif 000007
【図３Ｄ】
2018026146.tif 000008
【図３Ｅ】
2018026146.tif 000009
【図４】
2018026146.tif 000010
【図５】
2018026146.tif 000011
【図６】
2018026146.tif 000012
【図７】
2018026146.tif 000013
【図８】
2018026146.tif 000014
【図９】
2018026146.tif 000015
【図１０】
2018026146.tif 000016
【図１１】
2018026146.tif 000017
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
物品の取引を管理する方法であって、
コンピュータのディスプレイ装置により、物品の複数の価格レベルを表示するステップ、ここで、複数の価格レベルのそれぞれは、物品の価格と関連付けられると共に、価格軸に沿って表示される、
ディスプレイ装置により、複数の未決注文アイコンを表示するステップ、ここで、複数の未決注文アイコンのそれぞれは、複数の価格レベルの内の一つの価格レベルに対して表示され、電子取引所で実行される前の、少なくとも１つの、注文に対応するものとして複数の価格レベルのうちある価格レベルで表示される、
コンピュータのユーザ入力装置により、第１価格レベルの選択を受信するステップ、ここで、第１価格レベルの選択は、ディスプレイ装置のカーソルをユーザが操作して、ある注文量に関連付けられて表示されている注文トークンを選択し、選択された注文トークンを、ユーザにより、複数の価格レベルのうち第１価格レベルに関連付けることにより行う、
コンピュータにより、物品の注文をするための第１注文の送信を開始するステップ、ここで、第１注文は、選択可能な第１価格レベルに関連付けられた第１価格で、前記注文量に基づく物品の注文を表す、
を含む、方法。
【請求項２】
注文トークンを関連付けることは、少なくとも１つの注文トークンを選択可能な第１価格レベルに移動すること、少なくとも１つの注文トークンを選択可能な第１価格レベルにドラッグすること、選択可能な第１価格レベルを選択することのいずれか一つ、又はそれらの組み合わせを含む、請求項１に記載の方法。
【請求項３】
複数の価格レベルは、電子取引所から受信した物品の市場情報から得られる、請求項１に記載の方法。
【請求項４】
複数の価格レベルのそれぞれは、選択可能な価格レベルを有する、請求項１に記載の方法。
【請求項５】
更に、ディスプレイ装置により、選択可能な第１価格レベルにユーザ注文アイコンを表示するステップ、ここで、ユーザ注文アイコンは少なくとも１つのユーザの注文と他の未決注文とを区別する、を含む、請求項１に記載の方法。
【請求項６】
ユーザ注文アイコンは、選択の受信に応答して、選択可能な第１価格レベルに表示される、請求項５に記載の方法。
【請求項７】
複数の未決注文アイコンのそれぞれは、少なくとも１つの注文に対し関連付けられた価格に基づいて、価格軸に略垂直に配置される、請求項１に記載の方法。
【請求項８】
複数の未決注文アイコンは、グラフィカルアイコン、数値化されたアイコン、カラーコード化されたアイコン、及びそれらの組み合わせのうちの少なくとも１つを含む、請求項１に記載の方法。
【請求項９】
複数の未決注文アイコンは、取引可能な量を表す、請求項１に記載の方法。
【請求項１０】
複数の未決注文アイコンは、少なくとも１つのビッドアイコンを含み、係るビッドアイコンは、電子取引所で未実行の少なくとも１つのビッドに関連付けられる、請求項１に記載の方法。
【請求項１１】
少なくとも１つのビッドアイコンは、関連付けられた少なくとも１つのビッドのビッド価格に基づいて、複数の価格レベルに関連して表示される、請求項１０に記載の方法。
【請求項１２】
複数の未決注文アイコンは、少なくとも１つのアスクアイコンを含み、係るアスクアイコンは、電子取引所で未実行の少なくとも１つのアスクに関連付けられる、請求項１に記載の方法。
【請求項１３】
少なくとも１つのアスクアイコンは、関連付けられた少なくとも１つのアスクのアスク価格に基づいて、複数の価格レベルに関連して表示される、請求項１２に記載の方法。
【請求項１４】
更に、別の注文の送信を開始するステップを含む、ここで、別の注文は、第２価格レベルの選択に関連する価格で、所定量の物品の取引を実行するためのものである、請求項１に記載の方法。
【請求項１５】
物品の価格は、価格、利率、予想変動率、価格差、利益、及びそれらの組み合わせのいずれかを含む、請求項１に記載の方法。
【請求項１６】
ユーザ入力装置は、コンピュータマウスを含み、
更に、少なくとも１つの注文トークンに関連付けることは、コンピュータマウスのボタンを操作すること、コンピュータマウスのボタンをアクティブにすること、コンピュータマウスのボタンを放すこと、コンピュータマウスのボタンの動作を開始することのいずれか一つ、又はそれらの組み合わせを含む、請求項１に記載の方法。
【請求項１７】
更に、少なくとも１つの注文トークンのサイズを調整するステップを含む、ここで、少なくとも１つの注文トークンのサイズは量を表す、請求項１に記載の方法。
【請求項１８】
第１注文の送信を開始するステップは、第１注文の送信を確認するための注文確認を生成するステップを含む、請求項１に記載の方法。
【請求項１９】
注文確認は、量と第１価格とを含む注文確認ウィンドウを備える、請求項１８に記載の方法。
【請求項２０】
更に、注文確認ウィンドウを介してのユーザコマンドの検出に応答して、注文を送信するステップを含む、請求項１９に記載の方法。
【請求項２１】
ユーザコマンドは、注文確認ウィンドウにおいて指定された領域の選択、ユーザ入力装置の操作、ユーザ入力装置のボタンの操作、ユーザ入力装置のボタンのアクティブ化、ユーザ入力装置のボタンの開放、ユーザ入力装置のボタンのアクティブ化の開始のいずれか、又はそれらの組み合わせを含む、請求項２０に記載の方法。
【請求項２２】
図６に示す方法。
【外国語明細書】
2018026146.tif 000018
2018026146.tif 000019
2018026146.tif 000020
2018026146.tif 000021
2018026146.tif 000022
2018026146.tif 000023
2018026146.tif 000024
2018026146.tif 000025
2018026146.tif 000026
2018026146.tif 000027
2018026146.tif 000028
2018026146.tif 000029
2018026146.tif 000030
2018026146.tif 000031
2018026146.tif 000032
2018026146.tif 000033
2018026146.tif 000034
2018026146.tif 000035
2018026146.tif 000036
2018026146.tif 000037
2018026146.tif 000038
2018026146.tif 000039
2018026146.tif 000040
2018026146.tif 000041
2018026146.tif 000042
2018026146.tif 000043
2018026146.tif 000044
2018026146.tif 000045
2018026146.tif 000046
2018026146.tif 000047
2018026146.tif 000048
2018026146.tif 000049
2018026146.tif 000050
2018026146.tif 000051
2018026146.tif 000052
2018026146.tif 000053
2018026146.tif 000054
2018026146.tif 000055
2018026146.tif 000056
2018026146.tif 000057
2018026146.tif 000058
2018026146.tif 000059
2018026146.tif 000060
2018026146.tif 000061
2018026146.tif 000062
2018026146.tif 000063
2018026146.tif 000064
2018026146.tif 000065
2018026146.tif 000066
2018026146.tif 000067
2018026146.tif 000068